(57)【要約】本発明は、電子素子の放熱装置に関し、特に、単位発熱素子として複数個の電子素子が一面に備えられたプリント基板と、前記プリント基板の他面が密着して収容され、外側面に複数個の第１放熱リブが突出して備えられたハウジング本体と、前記ハウジング本体の外側面と離隔して配置され、前記ハウジング本体から伝達された熱を放熱する追加放熱部と、一端部は前記ハウジング本体の外側面に連結され、他端部は前記追加放熱部に連結され、前記電子素子から発生した熱を前記追加放熱部に伝達する熱伝逹部とを含むことで、放熱性能を向上させるという利点を提供する。【選択図】図２
2021506124.tif 000002
【特許請求の範囲】
【請求項１】
単位発熱素子として複数個の電子素子が一面に備えられたプリント基板と、
前記プリント基板の他面が密着して収容され、外側面に複数個の第１放熱リブが突出して備えられたハウジング本体と、
前記ハウジング本体の外側面と離隔して配置され、前記ハウジング本体から伝達された熱を放熱する追加放熱部と、
一端部は前記複数個の電子素子の外側面に連結され、他端部は前記追加放熱部に連結され、前記電子素子から発生した熱を前記追加放熱部に伝達する熱伝逹部とを含む、電子素子の放熱装置。
【請求項２】
前記追加放熱部は、前記ハウジング本体に向かうように突出形成された複数個の第２放熱リブと、前記第２放熱リブと反対方向に突出形成された複数個の第３放熱リブとを含む、請求項１に記載の電子素子の放熱装置。
【請求項３】
前記熱伝逹部は、内部に熱伝逹流体が充填されたヒートパイプからなる、請求項２に記載の電子素子の放熱装置。
【請求項４】
前記ヒートパイプの一端部は、前記ハウジング本体に形成された前記複数個の第１放熱リブの間に連結され、
前記ヒートパイプの他端部は、前記追加放熱部の一面に外周面の一部が収容されるように連結される、請求項３に記載の電子素子の放熱装置。
【請求項５】
前記ヒートパイプの一端部は、前記ハウジング本体に形成された前記複数個の第１放熱リブの間に備えられたヒート集熱ブロック内に挿入されるように連結される、請求項３に記載の電子素子の放熱装置。
【請求項６】
前記ヒートパイプの他端部は、外周面の一部が前記追加放熱部に形成された前記複数個の第２放熱リブの間に形成された熱接触溝部に挿入される、請求項３に記載の電子素子の放熱装置。
【請求項７】
前記ヒートパイプの一端部と他端部は、それぞれ、前記ハウジング本体の外側面および前記複数個の第２放熱リブが形成された前記追加放熱部の一面に対して平行に配置され、
前記ヒートパイプの一端部と他端部との間の中間部位は、前記ヒートパイプの一端部と他端部に対して折り曲げ形成される、請求項３から請求項６のいずれか一項に記載の電子素子の放熱装置。
【請求項８】
前記ヒートパイプの中間部位は、上向きに傾斜して形成される、請求項７に記載の電子素子の放熱装置。
【請求項９】
前記複数個の第１放熱リブ、前記複数個の第２放熱リブおよび前記複数個の第３放熱リブは、下側から上側に空気が流動するように上下方向に長く形成される、請求項７に記載の電子素子の放熱装置。
【請求項１０】
前記ヒートパイプの一端部は、下端部として前記ハウジング本体の外側に連結され、前記ヒートパイプの他端部は、上端部として前記追加放熱部に連結され、この際、前記ヒートパイプは、上下方向に長く配置される、請求項９に記載の電子素子の放熱装置。
【請求項１１】
複数個の電子素子が備えられた放熱空間が備えられたハウジング本体と、
前記ハウジング本体の外側面と平行に離隔して配置され、前記ハウジング本体から伝達された熱を放熱する追加放熱部と、
一端部は前記複数個の電子素子の外側面に連結され、他端部は前記追加放熱部に連結され、前記複数個の電子素子別の独立放熱ルートを形成し、前記複数個の電子素子それぞれから発生した熱を前記追加放熱部に伝達する熱伝逹部とを含む、電子素子の放熱装置。
【発明の詳細な説明】
【技術分野】
【０００１】
本発明は、電子素子の放熱装置（Ａ  ＣＯＯＬＩＮＧ  ＡＰＰＡＲＡＴＵＳ  ＦＯＲ  ＥＬＥＣＴＲＯＮＩＣ  ＥＬＥＭＥＮＴ）に関し、より詳細には、発熱箇所の内部に別の送風ファンを設置しなくても、発熱する電子素子から熱の供給を受け、外側に導いて放熱することができる電子素子の放熱装置に関する。
【背景技術】
【０００２】
一般的に、電子素子は、作動時に熱を発生し、電子素子が集積された空間内で熱が冷却されない場合、電子素子の作動性能が低下する可能性がある。
【０００３】
電子素子は、ほとんどがケースの内部に備えられたプリント基板にはんだ付け結合し、この際、外部からの保護のために完全に密閉された空間の内部に配置される。特に、外部に設置されるアンテナ装置に適用される、最近適用されたＦＰＧＡ素子のような電子素子の場合、その作動時に発熱がひどく、密閉された空間から熱を随時排出できるようにケースの内部に送風ファンを設けることが好ましいが、外部の異物、雨水などの内部への流入を防止するために、完全に密閉されたケースで保護することが一般的である。
【０００４】
したがって、上述のようなケースの密閉された空間に備えられた電子素子の個数が小さく発熱がひどくない場合には、既存の放熱面積だけでも、電子素子から発生する熱を十分に冷却することができる。
【０００５】
しかし、電子素子の個数が増加する場合には、密閉された空間の内部自体で、既存の放熱構造だけで放熱性能を向上させるには限界があり、ケースの内部と外部を通すように構造を変更する必要がある点で、異物の流入などによる製品の故障をもたらすことが多いという問題がある。
【発明の概要】
【発明が解決しようとする課題】
【０００６】
本発明は、上述の技術的な課題を解決すべくなされたものであって、別の送風ファンを備えず、電子素子が備えられたケースの内側に密閉された空間を維持し、且つ電子素子を効果的に冷却することができる放熱性能が向上した電子素子の放熱装置を提供することを目的とする。
【０００７】
また、本発明は、限定された発熱空間から熱を外部に導いて伝達し、この際、発熱が集中する原因になる電子素子から直接熱を捕集し、熱源ごとに独立した放熱ルートを構成することができる電子素子の放熱装置を提供することを他の目的とする。
【課題を解決するための手段】
【０００８】
本発明に係る電子素子の放熱装置の好ましい一実施形態は、単位発熱素子として複数個の電子素子が一面に備えられたプリント基板と、前記プリント基板の他面が密着して収容され、外側面に複数個の第１放熱リブが突出して備えられたハウジング本体と、前記ハウジング本体の外側面と離隔して配置され、前記ハウジング本体から伝達された熱を放熱する追加放熱部と、一端部は前記ハウジング本体の外側面に連結され、他端部は前記追加放熱部に連結され、前記電子素子から発生した熱を前記追加放熱部に伝達する熱伝逹部とを含む。
【０００９】
ここで、前記追加放熱部は、前記ハウジング本体に向かうように突出した複数個の第２放熱リブと、前記第２放熱リブと反対方向に突出した複数個の第３放熱リブとを含むことができる。
【００１０】
また、前記熱伝逹部は、内部に熱伝逹流体が充填されたヒートパイプからなり得る。
【００１１】
また、前記ヒートパイプの一端部は、前記ハウジング本体に形成された前記複数個の第１放熱リブの間に連結され、前記ヒートパイプの他端部は、前記追加放熱部の一面に外周面の一部が収容されるように連結され得る。
【００１２】
また、前記ヒートパイプの一端部は、前記ハウジング本体に形成された前記複数個の第１放熱リブの間に備えられたヒート集熱ブロック内に挿入されるように連結され得る。
【００１３】
また、前記ヒートパイプの他端部は、外周面の一部が前記追加放熱部に形成された前記複数個の第２放熱リブの間に形成された熱接触溝部に挿入され得る。
【００１４】
また、前記ヒートパイプの一端部と他端部は、それぞれ、前記ハウジング本体の外側面および前記複数個の第２放熱リブが形成された前記追加放熱部の一面に対して平行に配置され、前記ヒートパイプの一端部と他端部との間の中間部位は、前記ヒートパイプの一端部と他端部に対して折り曲げ形成され得る。
【００１５】
また、前記ヒートパイプの中間部位は、上向きに傾斜して形成され得る。
【００１６】
また、前記複数個の第１放熱リブ、前記複数個の第２放熱リブおよび前記複数個の第３放熱リブは、下側から上側に空気が流動するように上下方向に長く形成され得る。
【００１７】
また、前記ヒートパイプの一端部は、下端部として前記ハウジング本体の外側に連結され、前記ヒートパイプの他端部は、上端部として前記追加放熱部に連結され、この際、前記ヒートパイプは、上下方向に長く配置され得る。
【００１８】
本発明に係る電子素子の放熱装置の他の実施形態は、複数個の電子素子が備えられた放熱空間が備えられたハウジング本体と、前記ハウジング本体の外側面と平行に離隔して配置され、前記ハウジング本体から伝達された熱を放熱する追加放熱部と、一端部は前記複数個の電子素子の外側面に連結され、他端部は前記追加放熱部に連結され、前記複数個の電子素子別の独立放熱ルートを形成し、前記複数個の電子素子それぞれから発生した熱を前記追加放熱部に伝達する熱伝逹部とを含む。
【発明の効果】
【００１９】
本発明に係る電子素子の放熱装置の好ましい一実施形態によると、従来のハウジング本体の外側面に備えられた複数個の第１放熱リブに加え、さらなる放熱を可能にするために備えられた追加放熱部により、放熱性能を大幅に向上させるという効果を奏する。
【図面の簡単な説明】
【００２０】
【図１】本発明に係る電子素子の放熱装置の実施形態を示す斜視図である。
【図２】図１の分解斜視図である。
【図３】図１のＡ‐Ａ線に沿って切断した断面図である。
【図４Ａ】図１の構成のうち熱伝逹部を示す一側の分解斜視図である。
【図４Ｂ】図１の構成のうち熱伝逹部を示す他側の分解斜視図である。
【図５】図４Ａおよび図４Ｂの平面図である。
【図６】図５のＢ‐Ｂ線に沿って切断した切開斜視図である。
【発明を実施するための形態】
【００２１】
以下、本発明の一部の実施形態について例示的な図面により詳細に説明する。各図面の構成要素に参照符号を付けるに際し、同じ構成要素に対しては、仮に異なる図面上に示されていてもできるだけ同じ符号を有するようにしていることに留意すべきである。また、本発明を説明するにあたり、関連する公知の構成または機能に関する具体的な説明が本発明の要旨を不明瞭にし得ると判断した場合には、その詳細な説明は省略する。
【００２２】
明細書の全体において、ある部分がある構成要素を「含む」、「備える」とした場合、これは、特に相反する記載がない限り、他の構成要素を除くのではなく、他の構成要素をさらに含み得ることを意味する。明細書で使用されている「発熱素子」という構成の用語は、電子素子の一種として、作動時に所定の熱を発生するものであれば、いかなる構成で代替できることは当然であると言える。
【００２３】
図１は本発明に係る電子素子の放熱装置の実施形態を示す斜視図であり、図２は図１の分解斜視図であり、図３は図１のＡ‐Ａ線に沿って切断した断面図であり、図４Ａおよび図４Ｂは図１の構成のうち熱伝逹部を示す一側および他側の分解斜視図であり、図５は図４Ａおよび図４Ｂの平面図であり、図６は図５のＢ‐Ｂ線に沿って切断した切開斜視図である。
【００２４】
本発明に係る電子素子の放熱装置１の実施形態は、図１〜図６に示されているように、複数個の電子素子２５が発熱素子として一面に備えられたプリント基板２０と、プリント基板２０の他面が密着して収容され、外側面に複数個の第１放熱リブ１１が突出して備えられたハウジング本体１０と、ハウジング本体１０の外側面と平行に離隔して配置され、ハウジング本体１０から伝達された熱を放熱する追加放熱部４０と、一端部３１はハウジング本体１０の外側面に連結され、他端部３３は追加放熱部４０に連結され、ハウジング本体１０の外側面に印加された熱を追加放熱部４０に伝達する熱伝逹部３０とを含む。
【００２５】
ここで、複数個の電子素子２５は、電気的に作動して所定の熱を発生するすべての発熱素子を含む概念であり、代表的に、アンテナ装置に設置されるパワーサプライユニット（ＰＳＵ、Ｐｏｗｅｒ  Ｓｕｐｐｌｙ  Ｕｎｉｔ）およびＦＰＧＡ（Ｆｉｅｌｄ  Ｐｒｏｇｒａｍｍａｂｌｅ  Ｇａｔｅ  Ａｒｒａｙ）素子などが挙げられ、それ以外に、熱の発生によって性能が低下し得る素子構成も含むと考えられる。
【００２６】
ハウジング本体１０は、略一面または他面にプリント基板２０の一面または他面が面接触して収容されるように、「コ」字状の収容空間を形成する垂直断面を有することが好ましい。
【００２７】
より詳細には、図２および図３に示されているように、ハウジング本体１０の上側部位は、上述の収容空間を形成し、この際、前面側に開口するように形成されて、アンテナ素子（図面符号表記せず）またはＰＳＵのような通信素子または電子素子（図示せず）が収容空間の内側に収容され、この際、積層形態に配置され得る。また、ハウジング本体１０の下側部位は、上述の収容空間を形成し、この際、後面側に開口するように形成されて、ＦＰＧＡ素子のような発熱素子からなる電子素子２５が収容空間の内側に収容されるように配置され得る。
【００２８】
アンテナ素子またはＰＳＵのような通信素子または電子素子が備えられたハウジング本体１０の上側部位には、レドーム１００が開口した前面側に結合し、信号の送信または信号の受信が干渉なく行われて、外部からの異物の流入を防止するように構成されている。
【００２９】
また、ＦＰＧＡ素子のような電子素子２５が備えられたハウジング本体１０の下側部位には、図１〜図３に示されているように、プリント基板２０が設置されるように収容空間の開口した一側面にはハウジングカバー７０が備えられて、ハウジング本体１０の開口した一面を遮蔽するように設置され得る。
【００３０】
ハウジング本体１０には、上述のプリント基板２０の他に、さらに電子素子を設置する必要がある場合、図３に示されているように、追加プリント基板２０´を、ハウジング本体１０の内部に予め設置されたプリント基板２０に対して所定間隔離隔して積層して設置することができ、この際、ハウジングカバー７０の外側面には、追加プリント基板２０´から発生した熱を直接外部に放熱する放熱フィン部７１が形成され得る。
【００３１】
ただし、本発明の一実施形態では、ハウジング本体１０の上側部位の前面には、上述のように、レドーム１００が結合しているため、アンテナ素子またはＰＳＵのような電子素子から発生した熱を放熱するための後述する追加放熱部４０のような構成を追加することは難しく、ハウジング本体１０の上部の後面に形成された複数個の放熱リブ１１による一方向放熱構造により放熱するように設計されることが好ましい。
【００３２】
すなわち、プリント基板２０が収容されるハウジング本体１０の内側面に対向する外側面には、上述のとおり、プリント基板２０に実装された電子素子の作動によって発生する熱を１次的に放熱する複数個の第１放熱リブ１１が備えられ得る。
【００３３】
より詳細には、複数個の第１放熱リブ１１は、ハウジング本体１０の下側部位の収容空間に配置された電子素子から発生した熱が、ハウジングカバー７０に形成された放熱フィン部７１を介して放熱した後、上昇気流を形成するときに、その上昇気流と干渉しないように、それぞれの単位リブが上下に長く形成され、この際、左右方向に所定距離離隔して形成され得る。
【００３４】
上述のハウジング本体１０の外側面に形成された複数個の第１放熱リブ１１およびハウジングカバー７０に形成された複数個の放熱フィン部７１は、ハウジング本体１０およびハウジングカバー７０が形成する内部空間（以下、「発熱空間」と称する）から発生した熱を直接放熱する働きをする。
【００３５】
一方、複数個の第１放熱リブ１１は、それぞれ同一の隔離距離を有するように形成され、この際、上述の熱伝逹部３０が設置されるように、複数個の第１放熱リブ１１の一部が形成されていない第１設置溝部１５が複数個所に形成され得る。
【００３６】
追加放熱部４０は、図２に示されているように、一面に形成され、この際、ハウジング本体１０に向かうように突出形成された複数個の第２放熱リブ４１と、他面に形成され、この際、第２放熱リブ４１と反対方向に突出形成された複数個の第３放熱リブ４３とを含むことができる。
【００３７】
かかる追加放熱部４０は、熱伝逹部３０を媒介としてハウジング本体１０に形成された複数個の第１放熱リブ１１の先端と所定間隔離隔してハウジング本体１０の外部に配置され得る。
【００３８】
複数個の第２放熱リブ４１および複数個の第３放熱リブ４３も、上述のハウジング本体１０の複数個の第１放熱リブ１１と同様、それぞれ同一の左右隔離距離を有するように形成され、この際、上下垂直方向に長く配置され得る。
【００３９】
複数個の第２放熱リブ４１が備えられた追加放熱部４０の内側面には、上述の熱伝逹部３０が設置されるように、複数個の第２放熱リブ４１の一部が形成されていない第２設置溝部４５が複数個所に形成され得る。
【００４０】
一方、熱伝逹部３０は、上述のハウジング本体１０とハウジングカバー７０によって形成された発熱空間に備えられた複数個の電子素子２５から熱を直接捕集し、外部に導いて伝達することで、熱源別（すなわち、電子素子別）の独立放熱ルートを構成する役割を果たす。仮に、発熱空間上に備えられた電子素子２５が予め設定された個数で備えられた場合、熱伝逹部３０の個数は、電子素子２５の個数に対応して備えられ、各電子素子２５から発熱する熱は、それぞれの熱伝逹部３０によって形成された独立放熱ルートを介して外部に放熱される。
【００４１】
かかる熱伝逹部３０は、内部に熱伝逹流体が充填された複数個のヒートパイプからなり得る。ヒートパイプの内部に充填された熱伝逹流体は、一側から熱が供給されると、気化し、上側に上昇して、ヒートパイプの上端に熱を伝達した後、液化し、重力によって最初の位置に戻ることを繰り返す動作で、熱をヒートパイプの一端部から他端部に移動させる働きをすることができる。
【００４２】
ここで、ヒートパイプ３０の一端部３１は、ハウジング本体１０に形成された複数個の第１放熱リブ１１の間に備えられた前記第１設置溝部１５に連結され、ヒートパイプ３０の他端部３３は、追加放熱部４０の内側面に形成された前記第２設置溝部４５に連結され得る。
【００４３】
より詳細には、熱伝逹部３０は、図２〜図４に示されているように、単位ヒートパイプ３０の一端部３１が、ハウジング本体１０の発熱空間上に備えられた電子素子２５の外側面と平行に備えられ、後述する一側ヒート集熱ブロック９０を媒介としてプリント基板２０の一側面に結合し、単位ヒートパイプ３０の他端部３３は、後述する他側ヒート集熱ブロック９５を媒介として追加放熱部４０の内側面に面接触するように平行に結合し得る。
【００４４】
一方、第１設置溝部１５には、単位ヒートパイプ３０が複数個で備えられたヒートパイプ群３０´の一端部の集約設置を媒介する一側ヒート集熱ブロック９０が設置され、第２設置溝部４５には、単位ヒートパイプ３０が複数個で備えられたヒートパイプ群３０´の他端部の分散設置を媒介する他側ヒート集熱ブロック９５が設置され得る。
【００４５】
ここで、ヒートパイプ群３０´の一端部３１は、図４Ａおよび図４Ｂに示されているように、ハウジング本体１０の発熱空間上で複数個の電子素子２５が外部に露出するように備えられた第１設置溝部１５を介して面接触する一側ヒート集熱ブロック９０の後述する一側熱伝逹溝９２内に挿入されるように連結され得る。一側ヒート集熱ブロック９０は、一つの電子素子２５から発生した熱を集約的に捕集できるように、複数個のヒートパイプ３０の一端部が密集して設置され得る。
【００４６】
ここで、一側集熱ブロック９０の外側には、図４Ａおよび図４Ｂに示されているように、ヒートパイプ群３０´を介して集熱する熱の一部を直ちに放熱するブロック放熱リブ９１が複数個形成され得る。ここで、ブロック放熱リブ９１によって熱が放出される空間は、ハウジング本体１０と追加放熱部４０との間に形成される空間であって、複数個の第１放熱リブ１１によって放熱する空間と同一である。
【００４７】
逆に、ヒートパイプ群３０´の他端部３３は、図４Ａおよび図４Ｂに示されているように、第２設置溝部４５が備えられた追加放熱部４０の内側面に形成された後述する他側熱収容溝４９に配置され、他側ヒート集熱ブロック９５に形成された他側熱伝逹溝９３が形成するホールの内部に挿入されるように連結され得る。他側ヒート集熱ブロック９５は、複数個のヒートパイプ３０が追加放熱部４０の内側面に分散するように設置されて、ヒートパイプ群３０´によって伝達された熱が一側に偏って伝達されないようにする役割を果たす。
【００４８】
すなわち、一側ヒート集熱ブロック９０は、ハウジング本体１０の発熱空間上に備えられた電子素子２５それぞれの外側面に放出される熱を捕集するように集約設置されたヒートパイプ群３０´の一端部に熱を伝達する役割を果たし、他側ヒート集熱ブロック９５は、ヒートパイプ群３０´を介して伝達される熱を追加放熱部４０の内側面に均一に伝達する役割を果たす。一側ヒート集熱ブロック９０および他側ヒート集熱ブロック９５は、ヒートパイプ群３０´の個数に対応して配置されることが好ましい。
【００４９】
なお、一側ヒート集熱ブロック９０および他側ヒート集熱ブロック９５には、ヒートパイプ群３０´それぞれの一端部３１および他端部３３が挿入され配置される一側熱伝逹溝および他側熱伝逹溝９２、９３が形成され得る。
【００５０】
複数個のヒートパイプ群３０´の単位ヒートパイプ３０の一端部３１および他端部３３は、それぞれ、ハウジング本体１０の外側面が窪んで形成された一側熱収容溝１９および追加放熱部４０の内側面が窪んで形成された他側熱収容溝４９に配置されるように備えられ得る。
【００５１】
ここで、ヒートパイプ３０の一端部３１と他端部３３は、それぞれ、ハウジング本体１０の外側面および複数個の第２放熱リブ４１が形成された追加放熱部４０の一面に対して平行に配置され、ヒートパイプ３０の一端部３１と他端部３３との間の中間部位３５は、ヒートパイプ３０の一端部３１と他端部３３に対して折り曲げ形成され得る。
【００５２】
より詳細には、ヒートパイプ３０の中間部位３５は、上述の一端部３１を下端部とし、上述の他端部３３を上端部として、上向きに傾斜して形成され得る。すなわち、複数個の第１放熱リブ１１、複数個の第２放熱リブ４１および複数個の第３放熱リブ４３は、下側から上側に空気が流動するように上下方向に長く形成される際、ヒートパイプ３０の一端部３１は、下端部としてハウジング本体１０の外側に連結され、ヒートパイプ３０の他端部３３は、上端部として追加放熱部４０に連結され、ヒートパイプ３０の中間部位３５は、上下方向に長く配置され、この際、上向きに傾斜して形成される。
【００５３】
前記のように構成される本発明に係る電子素子の放熱装置１による放熱過程について簡単に説明すると、以下のとおりである。
【００５４】
ハウジング本体１０の内側面に備えられた電子素子２５の作動による作動熱が発生し、ハウジング本体１０の外側面に伝達されると、一側ヒート集熱ブロック９０が熱を捕集する。
【００５５】
この際、一側ヒート集熱ブロック９０は、第１放熱リブ１１とともに外部に露出していることから、電子素子２５から伝達された熱の一部は、ブロック放熱リブ９１を介して直ちに放熱する。
【００５６】
なお、一側ヒート集熱ブロック９０によって捕集されていない残熱は、ハウジング本体１０の外側面に形成された複数個の第１放熱リブ１１を介して１次放熱することができる。
【００５７】
一方、一側ヒート集熱ブロック９０に集熱した熱は、複数個の単位ヒートパイプ３０の一端部３１が集約した状態でヒートパイプ群３０´に伝達され、それぞれの単位ヒートパイプ３０の中で熱伝逹流体が蒸発する動作でヒートパイプ群３０´の他端部３３側に伝達される。
【００５８】
単位ヒートパイプ３０の他端部３３側に伝達された熱は、他側ヒート集熱ブロック９５を媒介として追加放熱部４０に備えられた複数個の第２放熱リブ４１および複数個の第３放熱リブ４３を介して２次放熱することができる。
【００５９】
この際、追加放熱部４０の内側面に備えられた他側ヒート集熱ブロック９５によってヒートパイプ群３０´の他端部３３に伝達された熱が、追加放熱部４０の全部にわたり均一でバランスよく分散することから、熱集中現象を防止することができる。
【００６０】
したがって、本発明に係る電子素子の放熱装置１の実施形態は、プリント基板２０に集積された電子素子２５が増加しても、上述の熱伝逹部３０および追加放熱部４０の追加放熱構造により放熱性能が拡張できるという利点を有する。
【００６１】
以上、本発明に係る電子素子の放熱装置の実施形態について添付の図面を参照して詳細に説明した。しかし、本発明の実施形態は必ずしも上述の実施形態によって限定されるものではなく、本発明が属する技術分野において通常の知識を有する者による様々な変形および均等な範囲での実施が可能であることは当然であると言える。したがって、本発明の真の権利範囲は、後述する請求の範囲によって定められると言える。
【産業上の利用可能性】
【００６２】
本発明に係る電子素子の放熱装置の実施形態は、特に、発熱の高い電子素子を備えたアンテナ装置に使用可能である。
【符号の説明】
【００６３】
１：電子素子の放熱装置
１０：ハウジング本体
１１：第１放熱リブ
１５：第１設置溝部
１９：一側熱収容溝
２０：プリント基板
３０：熱伝逹部
３０´：ヒートパイプ群
３１：一端部
３３：他端部
３５：中間部位
４９：他側熱収容溝
４０：追加放熱部
４１：第２放熱リブ
４３：第３放熱リブ
４５：第２設置溝部
７０：ハウジングカバー
７１：放熱フィン部
９０：一側ヒート集熱ブロック
９５：他側ヒート集熱ブロック
１００：レドーム
【図１】
2021506124.tif 000003
【図２】
2021506124.tif 000004
【図３】
2021506124.tif 000005
【図４ａ】
2021506124.tif 000006
【図４ｂ】
2021506124.tif 000007
【図５】
2021506124.tif 000008
【図６】
2021506124.tif 000009
【国際調査報告】
2021506124.tif 000010
2021506124.tif 000011
2021506124.tif 000012
2021506124.tif 000013